(57)【要約】【課題】浮きの大きさ（見かけの体積）はそのままで浮力の調整を行うことができる釣り用浮きを提供する。【解決手段】下部本体１ｂを上部本体１ａに対して回転させると、回転調整ノブ１３を介してボルト１２が回転してピストン８が上下移動するので、浮きの大きさ（見かけの体積）はそのままであるが、水導入室１７の容積を変化させることができ、浮き全体に作用する浮力を変化させることができる。したがって、例えば、あるポイントで浮きを使用している場合に、オモリを少し足したり、餌の大きさを変えたり餌の沈む速度を微調整したい時等、浮力をもう少し大きくしたい（或いは小さくしたい）というとき、浮きを取替えることもなく簡単に浮力を調整してから再びそのポイントに投入する際に、大きさが変わらないので同じポイントに投入しやすくなる。【選択図】      図２
2004215621.tif 000002
【特許請求の範囲】
【請求項１】
外見上の体積を変化させることなく浮力を変化させることのできる構造を有することを特徴とする釣り用浮き。
【請求項２】
浮き本体と、
上記浮き本体の下部に形成された水導入口と、
上記水導入口から水が導入される上記浮き本体内の水導入室と、
上記水導入室の容積を変化させることのできる水導入室容積変化手段とを備えたことを特徴とする釣り用浮き。
【請求項３】
上記水導入室は上記浮き本体の上部に形成された空気抜き口に連通することを特徴とする請求項２に記載の釣り用浮き。
【請求項４】
上記水導入室容積変化手段はピストン機構により構成され、上記浮き本体内で上記ピストン機構のピストンを上下移動させることにより、上記水導入室の容積を変化させる構成にしたことを特徴とする請求項２又は３に記載の釣り用浮き。
【請求項５】
上記浮き本体は相対回転可能とされた上部本体及び下部本体により構成され、これら上部本体及び下部本体を相対回転させることにより上記ピストンが上下移動する構成にしたことを特徴とする請求項４に記載の釣り用浮き。
【請求項６】
上記ピストン機構はユニット化されており、上記上部本体、上記ピストン機構のユニット、上記下部本体に分解可能とされていることを特徴とする請求項５に記載の釣り用浮き。
【発明の詳細な説明】
【０００１】
【発明の属する技術分野】
本発明は、釣り用浮きに係り、外見上の体積を変化させることなく浮力の調整を可能にしたものに関する。
【０００２】
【従来の技術】
釣り用浮きは、仕掛につけるオモリや餌の重さ、釣り方等に合わせて浮力が選択されるため、数個の浮きを予め用意しておき、その中から釣り条件に合わせて適宜選択して使用していた。
【０００３】
特許文献１には、釣り条件が変わるたびに浮きを取り替える手間を省くために、浮力の調整を可能にした釣り用浮きが開示されている。かかる釣り用浮きは、浮き本体とキャップとが相対回転可能に組み合わされており、その相対回転に伴ってキャップが上下方向に移動する構成とされている。すなわち、浮き全体の大きさ（体積）を変化させることにより浮力を調整するようにしている。
【０００４】
【特許文献１】
特開２０００−１９７４３４号公報
【０００５】
【発明が解決しようとする課題】
ところで、釣り用浮きを選択するときの条件として、浮きの大きさも条件の一つとなる。例えば、近いポイントでは比較的小さな浮きを、遠いポイントでは視認性を高めるために比較的大きな浮きを使用することが多い。
【０００６】
上記特許文献１に開示されているように浮き全体の大きさ（体積）を変化させるタイプでは、浮力を調整することはできるが、他の条件である大きさまでも変わってしまう。このように浮きの大きさが変化すると、風に対する抵抗等が変わってしまうため、同じポイントに投入しにくくなる等の不都合が生じる。例えば、あるポイントで浮きを使用している場合に、浮力をもう少し大きくしたい（或いは、小さくしたい）というとき、浮力を調整してから再びそのポイントに投入しようとしても、大きさが変わっているために同じポイントに投入しにくくなる。
【０００７】
本発明は、上記のような点に鑑みてなされたものであり、大きさ（見かけの体積）はそのままで、更には重量も変化させることなく、浮力の調整を行うことができる釣り用浮きを提供することを目的とする。
【０００８】
【課題を解決するための手段】
本発明の釣り用浮きは、外見上の体積を変化させることなく浮力を変化させることのできる構造を有する点に特徴を有する。
【０００９】
本発明の釣り用浮きは、浮き本体と、上記浮き本体の下部に形成された水導入口と、上記水導入口から水が導入される上記浮き本体内の水導入室と、上記水導入室の容積を変化させることのできる水導入室容積変化手段とを備えた点に特徴を有する。かかる釣り用浮きにおいては、水導入室の容積を変化させることにより、外観上の体積は変化しないが浮きの体積を変化させ、その浮力を調節することができる。
【００１０】
また、本発明の釣り用浮きの他の特徴とするところは、上記水導入室は上記浮き本体の上部に形成された空気抜き口に連通する点にある。かかる構成とすることにより、すばやく空気を排出することで、空気と水の交換をスムーズに行い、空気泡の発生をなくして、あいまいな浮力変化の発生を防ぐことができる。
【００１１】
また、本発明の釣り用浮きの他の特徴とするところは、上記水導入室容積変化手段はピストン機構により構成され、上記浮き本体内で上記ピストン機構のピストンを上下移動させることにより、上記水導入室の容積を変化させる構成にした点にある。
【００１２】
また、本発明の釣り用浮きの他の特徴とするところは、上記浮き本体は相対回転可能とされた上部本体及び下部本体により構成され、これら上部本体及び下部本体を相対回転させることにより上記ピストンが上下移動する構成にした点にある。
【００１３】
また、本発明の釣り用浮きの他の特徴とするところは、上記ピストン機構はユニット化されており、上記上部本体、上記ピストン機構のユニット、上記下部本体に分解可能とされている点にある。
【００１４】
【発明の実施の形態】
以下、図面を参照して、本発明の釣り用浮きについて好適な実施の形態を説明する。
【００１５】
本実施の形態の釣り用浮きは、中通し浮きと称されるものである。図１〜３に示すように、浮き本体１は上部本体１ａ及び下部本体１ｂにより構成され、全体として略どんぐり形状をしている。浮き本体１内には、中心線に沿って糸通し穴を形成するＡＢＳ樹脂等のセンターパイプ２が設けられている。
【００１６】
上部本体１ａ内には浮力体３が設けられている。浮力体３の中心線方向には小径部３ａ、テーパ部３ｂ、大径部３ｃからなる貫通穴が形成されており、浮力体３の内面及び端面にＡＢＳ樹脂等の壁材４が貼着されている。
【００１７】
センターパイプ２上端側面には３箇所で突出部２ａが形成されており、これら突出部２ａが浮力体３の小径部３ａにより支持される。各突出部２ａ表面には溝が形成されており、これら溝に壁材４に形成されたリブ状の突出部が係合することによりセンターパイプ２の回転が規制される。ただし、突出部２ａ以外の個所ではセンターパイプ２と壁材４との間に隙間５ａが確保され、センターパイプ２上端開口の周りに３箇所の空気抜き口６が形成される。
【００１８】
浮力体３の大径部３ｃ内でセンターパイプ２の周囲には、シリンダ７及びピストン８により構成されるピストンユニットが配設されている。
【００１９】
シリンダ７は、筒状の内壁７ａと、筒状の外壁７ｂと、一端面７ｃとを有する。外壁７ｂ外周面には、複数のリブ状の突出部が形成されており、これら突出部が浮力体３の大径部３ｃにより支持される。ただし、突出部以外の個所ではシリンダ７と壁材４との間に隙間５ｂが確保される。
【００２０】
また、端面７ｃは浮力体３のテーパ部３ｂに合わせてテーパ状とされており、そこに複数の溝７ｅが形成されている。一方、浮力体３のテーパ部３ｂでは壁材４に複数のリブ状の突出部４ａが形成されており、これら突出部４ａが端面７ｃの溝７ｅに係合することによりシリンダ７の回転が規制される。ただし、突出部４ａ及び溝７ｅ以外の個所ではシリンダ７と壁材４との間に隙間５ｃが確保される（説明のため符号５ｃを付すが、図２、３では断面位置の関係で図示されない）。
【００２１】
シリンダ７に摺動自在に組み込まれるピストン８は、シリンダ７の内壁７ａに沿って摺動するよう貫通穴が形成されている。ピストン８先端には、複数の側方に突出する凸部８ａが形成されている。一方、シリンダ７の外壁７ｂには複数の切り欠き７ｆが形成されており、これら切り欠き７ｃ間に凸部８ａが係合することによりピストン８の軸方向移動のみが許容されて回転が規制される。
【００２２】
なお、ピストン８の外摺動面にはＯリング９が配設されている。また、シリンダ７の内壁７ａの摺動面にはＯリング１０が配設されるとともに、内壁７ａの端部にＯリング止め１１が設けられている。
【００２３】
ピストンユニットの下方においてセンターパイプ２の周囲には、センターパイプ２と同軸上に配置されたボルト１２が設けられている。ボルト１２はセンターパイプ２の外周面上で回転可能とされており、先端がピストン８内周面に形成されたネジ部８ｂに螺合する。
【００２４】
下部本体１ｂ内には回転調整ノブ１３が固定されており、回転調整ノブ１３上におもり１４が設けられている。回転調整ノブ１３の中心線方向には、センターパイプ２を挿通するとともに、ボルト１２の六角ヘッド１２ａが嵌合する貫通穴１３ａが形成されている。
【００２５】
また、下部本体１ｂの下部開口から回転調整ノブ１３下面側にメンテナンス用ナット１５が挿入され、このナット１５にセンターパイプ２下端に形成されたネジ部２ｂが螺合する。ナット１５には六角穴１５ａが形成されており、この六角穴１５ａを介してセンターパイプ２内部（糸通し穴）が外部に連通する。
【００２６】
ここで、下部本体１にはその周方向に等間隔で配置された８本のスリット１６が形成されている。したがって、図１に示すように浮き用釣りが水面Ｌに浮かんだとき、これらスリット１６を介して浮き本体１内、具体的には下部本体１ｂ、上部本体１ａ内の壁材４、及びピストン８先端面等により形成される水導入室１７に水が導入される（図中矢印Ｘ１）。
【００２７】
その際、水導入室１７は隙間５ａ〜５ｃを介して上部本体１ａの空気抜き口６に連通しているので、水導入室１７の空気を外部に抜くことができ（図中矢印Ｘ２）、効率良く水を導入することができる。
【００２８】
上記構成とした釣り用浮きにおいては、下部本体１ｂを上部本体１ａに対して回転させると、回転調整ノブ１３を介してボルト１２が回転する。ボルト１２の回転はネジ部８ｂを介してピストン８に伝達されるとともに、上述したようにピストン８の回転が規制されているので、ピストン８は上下移動することになる。
【００２９】
このようにピストン８が上下移動することにより、浮きの大きさ（見かけの体積）はそのままであるが、水導入室１７の体積を変化させることができるので、浮き全体に作用する浮力を変化させることができる。図３に示すようにピストン８を下方に位置させておけば、浮力を大きくすることができるのに対して、図２に示すようにピストン８を上方に位置させておけば、浮力を小さくすることができる。
【００３０】
以上述べたように本実施の形態の釣り用浮きによれば、上部本体１ａ及び下部本体１ｂを相対回転させる回動操作を行うことにより、浮きの大きさ（見かけの体積）はそのままで浮力の調整を行うことができる。したがって、例えば、あるポイントで浮きを使用している場合に、浮力をもう少し大きくしたい（或いは小さくしたい）というとき、浮力を調整してから再びそのポイントに投入する際に、大きさが変わらず、かつ、重さも変わらないので同じポイントに投入しやすくなる。
【００３１】
なお、下部本体１ｂのスリット１６が本発明でいう水導入口であるが、これらスリット１６は滑り止めの機能も果たすことになり、濡れた指でも確実に回動操作することができる。また、ピストン８を上下移動させる際に、ピストンユニット内が正圧になり、内圧の大きさも変化するが、その大きさは人の手による回動操作に支障のない程度の大きさである。
【００３２】
さらに本実施の形態の釣り用浮きによれば、シリンダ７及びピストン８がユニット化されており、六角レンチを用いてメンテナンス用ナット１５を外すことにより、上部本体１ａ、ピストンユニット、下部本体１ｂ等に分解することができる。特に海で使用する場合には、塩の結晶が浮き内部に残留することがあるが、このように分解可能にしておくことにより掃除がしやすくなる。
【００３３】
なお、上記実施の形態において示した各部の形状及び構造は、何れも本発明を実施するにあたっての具体化のほんの一例を示したものに過ぎず、これらによって本発明の技術的範囲が限定的に解釈されてはならないものである。すなわち、本発明はその精神、又はその主要な特徴から逸脱することなく、様々な形で実施することができる。図１〜３に示した例は一例に過ぎず、種々の形状や大きさ、浮力を持った中通し浮きに本発明を適用することができる。また、環つき浮き、ななめ浮き、棒浮きといった各種浮きに本発明を適用することもできる。例えば、図４（ａ）に示すように、ななめ浮きの内部にピストンユニットを設けたり、図４（ｂ）に示すように、棒浮きの内部にピストンユニットを設けたりしてもよい。或いは、図４（ｃ）に示すように、ルアーにおける浮力調整等にも同様のピストンユニットを使って実施することができる。
【００３４】
【発明の効果】
以上述べたように本発明によれば、浮きの大きさ（見かけの体積）はそのままで、更には重量も変化させることなく、浮力の調整を行うことができる。
【図面の簡単な説明】
【図１】本実施の形態の釣り用浮きの正面図である。
【図２】（ａ）が本実施の形態の釣り用浮きの平面図、（ｂ）が正面断面図、（ｃ）が底面図である。
【図３】本実施の形態の釣り用浮きの正面断面図である。
【図４】本発明の他の適用例を説明するための図である。
【符号の説明】
１          浮き本体
１ａ        上部本体
１ｂ        下部本体
２          センターパイプ
３          浮力体
４          壁材
５ａ〜５ｃ  隙間
６          空気抜き口
７          シリンダ
８          ピストン
１２        ボルト
１３        回転調整ノブ
１４        おもり
１５        メンテナンス用ナット
１６        スリット
１７        水導入室
【図１】
2004215621.tif 000003
【図２】
2004215621.tif 000004
【図３】
2004215621.tif 000005
【図４】
2004215621.tif 000006